(57)【要約】【課題】複数の送信先に送信先ごとの送付状を付加して共通原稿をファクシミリ送信する場合、情報処理装置からファクシミリ装置へ伝送される複数の送付状のデータ量を低減させることにより、ネットワークの通信量とファクシミリ装置の記憶容量の低減を実現するファクシミリ通信システムを提供する。【解決手段】情報処理装置と通信媒体を介して接続されたファクシミリ装置に、該情報処理装置から複数の送信先用の共通原稿データと送信先ごとの送付状データを伝送して、ファクシミリ装置が複数の送信先に順次ファクシミリ送信を行うファクシミリ通信システムにおいて、情報処理装置は、共通原稿データと最初の送信先用の送付状データをファクシミリ装置に伝送するとともに、最初の送信先用の送付状データと異なる部分のデータを、２番目以降の各送信先用の送付状データとしてファクシミリ装置に伝送する。【選択図】      図５
2005026778.tif 000002
【特許請求の範囲】
【請求項１】
情報処理装置と通信媒体を介して接続されたファクシミリ装置に、該情報処理装置から複数の送信先用の共通原稿データと送信先ごとの送付状データを伝送して、前記ファクシミリ装置が前記複数の送信先に順次ファクシミリ送信を行うファクシミリ通信システムにおいて、
前記情報処理装置は、前記共通原稿データと最初の送信先用の送付状データを前記ファクシミリ装置に伝送するとともに、前記最初の送信先用の送付状データと異なる部分のデータを、２番目以降の各送信先用の送付状データとして、前記ファクシミリ装置に伝送することを特徴とするファクシミリ通信システム。
【請求項２】
前記共通原稿データと最初の送信先用の送付状データと２番目以降の各送信先用の送付状データは、前記情報処理装置で符号化（圧縮）されて前記ファクシミリ装置に伝送されることを特徴とする請求項１に記載のファクシミリ通信システム。
【請求項３】
前記異なる部分のデータは、前記最初の送信先用の送付状データと前記２番目以降の各送信先用の送付状データの画像データ（ビットマップデータ）における異なる部分の画像データと、その異なる部分のアドレスとからなることを特徴とする請求項１に記載のファクシミリ通信システム。
【請求項４】
前記ファクシミリ装置は送付状作成手段を有し、該送付状作成手段は、前記最初の送信先用の送付状データの前記異なる部分のアドレスが示す領域を、前記異なる部分の画像データで置き換えて、２番目以降の送信先ごとの送付状データを合成して作成することを特徴とする請求項３に記載のファクシミリ通信システム。
【請求項５】
情報処理装置と通信媒体を介して接続されたファクシミリ装置に、該情報処理装置から複数の送信先用の共通原稿データと送信先ごとの送付状データを伝送して、前記ファクシミリ装置が前記複数の送信先に順次ファクシミリ送信を行うファクシミリ通信システムにおいて、
前記送付状データは、前記複数の送信先ごとに変動する文字データと、前記複数の送信先ごとの送付状データに共通のフォーム画像データと、そのフォーム画像データ上で前記文字データが入力される領域を示すアドレスデータとから構成され、
前記情報処理装置は、前記共通原稿データと前記フォーム画像データ及び前記アドレスデータを前記ファクシミリ装置に伝送するとともに、前記送信先ごとに変動する文字データを、前記フォーム画像データと異なるデータとして前記ファクシミリ装置に伝送することを特徴とするファクシミリ通信システム。
【請求項６】
前記共通原稿データとフォーム画像データは、前記情報処理装置で符号化（圧縮）されて前記ファクシミリ装置に伝送されることを特徴とする請求項５に記載のファクシミリ通信システム。
【請求項７】
前記ファクシミリ装置は送付状作成手段を有し、該送付状作成手段は、前記フォーム画像データの前記アドレスデータが示す領域を、前記各送信先の文字データをビットマップ化して置き換えることにより、送信先ごとの送付状データを合成して作成することを特徴とする請求項５または請求項６に記載のファクシミリ通信システム。
【請求項８】
前記通信媒体は、ローカルエリアネットワーク（ＬＡＮ）で構成されていることを特徴とする請求項１乃至請求項７のいずれかに記載のファクシミリ通信システム。
【発明の詳細な説明】
【０００１】
【発明の属する技術分野】
本発明は、類似の送付状を添付して複数の送信先にファクシミリ送信を行うときに、送付状のデータと、その送付状からの差分データを送信先ごとに受けて、各送信先用の送付状を作成・付加するファクシミリ通信システムに関する。
【０００２】
【従来の技術】
従来から、企業や官公庁などにおけるファクシミリ送信には、送信する原稿と共に送付状を最初のページに添付して送ることが行われている。通常１枚からなるこの送付状には、送信先名称や送信先電話番号、担当者、件名、送信日付、送信される原稿の枚数、送信元名称や送信元電話番号、送信者名などとともに、簡単なメッセージが記されることが多い。
【０００３】
また、ネットワーク化の拡大に伴って、ファクシミリ装置も従来のように独立して使用されるスタンドアローン型ではなく、情報処理装置に接続される形態が増加している。こうしてネットワークに接続されたファクシミリ装置は、情報処理装置にインストールされたファックスドライバソフトを介して入力された送信にかかわるコマンドと、送信される原稿データ及び送付状データを情報処理装置から受け、コマンドで指定された送信先に送付状が添付された原稿をファクシミリ送信する。
【０００４】
このような原稿データと送付状データが、情報処理装置からネットワークを介してファクシミリ装置に伝送される様子を図１０に基づいて説明する。図１０は、複数の送信先にファクシミリ送信する場合、情報処理装置からファクシミリ装置に伝送される原稿データと送付状データの伝送形態を示した模式図で、（ａ）は送信先ごとに共通の共通原稿データと送信先ごとに異なる送付状データとがそれぞれ伝送される場合を、（ｂ）は共通原稿データを１度伝送して、その後送信先ごとに異なる送付状データを逐次伝送する場合で示す。
【０００５】
従来の方法では図１０（ａ）に示すように、複数の送信先にファクシミリ送信する原稿が共通であっても、送信先ごとに原稿データと送付状を情報処理装置からファクシミリ装置に伝送する必要があった。そのため、ネットワーク上の通信量と、送信先ごとに原稿データと送付状データを蓄積するファクシミリ装置の記憶装置の容量が増加するという問題が発生していた。
【０００６】
特許文献１は、図１０（ｂ）に示すように、情報処理装置からネットワークとファクシミリサーバを介してファクシミリ装置に複数の送信先に共通の原稿データを伝送して蓄積させ、その後、その共通の原稿データが指定された送信先ごとの送付状をファクシミリ装置に伝送し、ファクシミリ装置は受けた送付状ごとに共通の原稿データを添付して指定された送信先にファクシミリ送信を行う方法を提案している。
【０００７】
【特許文献１】
特開平９−２４７４１６号公報
【０００８】
【発明が解決しようとする課題】
図１０（ａ）と（ｂ）による比較から明らかなように、従来の方法に比べると、特許文献１による方法はネットワーク上の通信量と、ファクシミリ装置に必要な記憶容量の低減を可能にせしめるものである。しかし、共通原稿が送信される送信先数が増加すると、或いは、共通原稿のデータ量が少ないと、送信先ごとに情報処理装置からファクシミリ装置に伝送される送付状のデータ量は無視できないものになってくる。
【０００９】
本発明は、このような状況に鑑みなされたものであり、複数の送信先に送信先ごとの送付状を付加して共通原稿をファクシミリ送信する場合、情報処理装置からファクシミリ装置へ伝送される複数の送付状のデータ量を低減させることにより、ネットワークの通信量とファクシミリ装置の記憶容量の低減を実現するファクシミリ通信システムを提供することを目的とするものである。
【００１０】
【課題を解決するための手段】
上記目的を達成するために、本発明では、情報処理装置と通信媒体を介して接続されたファクシミリ装置に、情報処理装置から複数の送信先用の共通原稿データと送信先ごとの送付状データを伝送して、ファクシミリ装置が複数の送信先に順次ファクシミリ送信を行うファクシミリ通信システムにおいて、情報処理装置は、共通原稿データと最初の送信先用の送付状データをファクシミリ装置に伝送するとともに、最初の送信先用の送付状データと異なる部分のデータを、２番目以降の各送信先用の送付状データとして、ファクシミリ装置に伝送する。
【００１１】
共通原稿データと最初の送信先用の送付状データと２番目以降の各送信先用の送付状データは、情報処理装置で符号化（圧縮）されてファクシミリ装置に伝送される。
【００１２】
前記の異なる部分のデータは、最初の送信先用の送付状データと２番目以降の各送信先用の送付状データの画像データ（ビットマップデータ）における異なる部分の画像データと、その異なる部分のアドレスとからなる。
【００１３】
ファクシミリ装置は送付状作成手段を有し、該送付状作成手段は、最初の送信先用の送付状データの異なる部分のアドレスが示す領域を、異なる部分の画像データで置き換えて、２番目以降の送信先ごとの送付状データを合成して作成する。
【００１４】
情報処理装置と通信媒体を介して接続されたファクシミリ装置に、該情報処理装置から複数の送信先用の共通原稿データと送信先ごとの送付状データを伝送して、ファクシミリ装置が複数の送信先に順次ファクシミリ送信を行うファクシミリ通信システムにおいて、送付状データは、複数の送信先ごとに変動する文字データと、複数の送信先ごとの送付状データに共通のフォーム画像データと、そのフォーム画像データ上で文字データが入力される領域を示すアドレスデータとから構成され、情報処理装置は、共通原稿データとフォーム画像データ及びアドレスデータをファクシミリ装置に伝送するとともに、送信先ごとに変動する文字データを、フォーム画像データと異なるデータとしてファクシミリ装置に伝送する。
【００１５】
共通原稿データとフォーム画像データは、情報処理装置で符号化（圧縮）されてファクシミリ装置に伝送される。
【００１６】
ファクシミリ装置は送付状作成手段を有し、該送付状作成手段は、フォーム画像データのアドレスデータが示す領域を、各送信先の文字データをビットマップ化して置き換えることにより、送信先ごとの送付状データを合成して作成する。
【００１７】
前記した通信媒体は、ローカルエリアネットワーク（ＬＡＮ）で構成されている。
【００１８】
【発明の実施の形態】
以下、本発明の詳細を添付図面に基づいて説明する。図１は、本発明を説明するためのファクシミリ装置の例を示す概略正面図である。
【００１９】
ファクシミリ装置１は、複数のページからなる原稿を読み取るために原稿のページを１枚ずつ自動的に給送する原稿自動送り装置２と、給送されたページを読み取って画像データに変換するスキャナ３と、操作にかかわる入力や表示が行われる操作部４と、用紙に画像を印字する印字部５と、ファクシミリ装置１の全体の制御をつかさどる制御部６とによって概略構成されている。
【００２０】
原稿自動送り装置２は、原稿のページが積層されて収納される原稿送り台７と、読み取られたページが排出収納される原稿排出部８を備えている。操作部４は、操作のための表示や通知がなされる表示部９と操作入力のための複数のキーなどを有する操作入力部１０を備えている。印字部５は、被印字媒体である用紙を収納して給紙する給紙部１１と、図示しない画像形成部と定着部などから構成される。
【００２１】
図２は、本発明のファクシミリ通信システムの例を示す模式図である。ファクシミリ装置１は、例えばローカルエリアネットワーク（ＬＡＮ）などのネットワーク１５を介して、情報処理装置１６に接続されている。尚、小規模のシステムの場合は、ファクシミリ装置１と情報処理装置１６とがＲＳ２３２Ｃ、ＩＥＥＥ１３９４、ＵＳＢ、プリンタ用パラレルなどのインターフェイスを介して１対１で直接接続されても良い。ここで、ファクシミリ装置１は、一般公衆電話回線網などの通信回線１７に接続されており、外部の送信先とファクシミリ通信を行う。
【００２２】
次に、図３に基づき、ファクシミリ装置１の電気的な構成について概略説明する。図３は、ファクシミリ装置１の主要回路のブロック図である。ファクシミリ装置１の制御部６は、制御回路であるＣＰＵ２１と、プログラムや制御データを格納するＲＯＭ２２ａと、プリンタとして使用される場合などにデータに含まれる文字データをビットマップデータに展開するためのフォントデータを格納するフォントＲＯＭ２２ｂと、作業用のデータを一時格納するＲＡＭ２３と、ファクシミリ送信時に送信データの送信バッファメモリとしての機能を果たすフレームメモリ２４と、情報処理装置１６（図２）からの原稿データを画像データとして或いはスキャナ３で読み取った原稿を画像データとして蓄積する画像メモリ２５と、該画像データが画像メモリ２５に読み込まれ、読み出される場合にそれぞれ圧縮や伸張を行い、また、フレームメモリ２４に送信データが送り込まれる場合に符号化を行い、受信時に受信したデータの復号化を行うＣＯＤＥＣ部２６と、送信先ごとに送付状を作成して送信する原稿に付加する送付状作成部２９と、スキャナ３との接続を可能にするスキャナＩ／Ｆ（インターフェイス）３ａと、原稿自動送り装置２との接続を可能にする原稿自動送り装置Ｉ／Ｆ（インターフェイス）２ａとからなっている。
【００２３】
ファクシミリ装置１は、更に、フレームメモリ２４に読み込まれた送信データを可聴信号に変換し、受信時に可聴信号を受信データに変換するモデム２７と、通信の制御を行うＮＣＵ２８と、ネットワークを介して情報処理装置１６との通信を可能にするＮＩＣ（Ｎｅｔｗｏｒｋ  Ｉｎｔｅｒｆａｃｅ  Ｃａｒｄ）３０と、図１で示した操作部４及び印字部５とを有している。
【００２４】
以上説明したファクシミリ装置１とファクシミリ通信システムに基づき、複数の送信先に共通原稿データとそれぞれの送付状をファクシミリ送信するため、情報処理装置１６からファクシミリ装置１に共通原稿データとそれぞれの送付状を伝送する方法と、それを受けたファクシミリ装置１が送付状を合成して作成する方法について２つの実施形態に基づき説明する。
【００２５】
まず、第１の実施形態について図１〜図６を参照して説明する。図４は、本発明の第１の実施形態を説明するための送付状の例である。図２の情報処理装置１６から共通の原稿を複数の送信先にそれぞれ異なる送付状を付加してファクシミリ送信する場合、情報処理装置１６の図示しないアプリケーションプログラムによって共通原稿と送付状が作成される。この場合、通常であれば、送付状はそれぞれの送信先ごとに、送信先名称、送信先番号、担当者など一部が異なるものになり、他の部分は共通の場合が多い。この送付状４０は、例えば最初の送信先の原稿に付加されるものである。同じ共通原稿を送信する２番目以降の送信先には、この送付状４０の一部が書き換えられたものが付加される。この例では「送信先」の名称と、「送信番号」の番号と、「ご担当者」の名前が、送信先ごとに書き換えられるとするが、他の個所が異なっても本実施形態の実施可能である。
【００２６】
複数の送信先へのファクシミリ送信操作は、情報処理装置１６にインストールされている図示しないファクシミリ装置１用のファックスドライバソフトを介して行われる。そのファックスドライバソフトで、送信する共通原稿を選択し、１番目の送信先に付加する１番目の送付状を選択する。更に、１番目の送信に必要な送信先電話番号、送信画質モード、タイマ予約送信の可否などの送信制御コマンドを、ファックスドライバソフトを介して入力する。２番目〜Ｎ番目の送信先も同様な操作を行う。
【００２７】
図５は、このようにしてファックスドライバソフトを介して入力・設定された共通原稿、送付状、送信制御コマンドを模式的に示した図である。情報処理装置１６で図示しない送信ボタンが押されると、１番目の送付状の画像データ（ビットマップデータ）を基に、２番目以降の送付状が順次１番目の送付状と比較される。この時、ファックスドライバソフトは図４に示すように、１番目の送付状の画像データを所定の複数の領域に分割し、それぞれの領域にアドレスを割り当てる。図４の例では、説明を簡単にするために、帯状（行）に領域を作成しているため、以下、行アドレスと呼称する。送付状には０〜９の行アドレスが割り当てられている。
【００２８】
ファックスドライバは、１番目の送付状の画像データを基に、他の送付状の画像データを比較するときに、それぞれのこの行アドレスごとに比較し、１番目の送付状と異なる行アドレスと、その異なる行アドレス部分のその送付状の画像データを抽出して、該当する送付状の差分画像データとする。同様の作業がＮ番目の送付状の差分画像データが抽出されるまで続けられる。図５の例では、２番目の送付状の差分画像データ（図中ハッチ部分）は行アドレス２〜３のものであり、Ｎ番目の送付状の差分画像データ（図中ハッチ部分）は、２つの離間した領域、行アドレス１と７のものである。
【００２９】
このようにして２番目〜Ｎ番目の送付状の差分画像データの抽出が終了すると、共通原稿の画像データ、１番目の送付状の画像データ、２番目の送付状の差分画像データ、…、Ｎ番目の送付状の差分画像データがそれぞれ、ファックスドライバソフトが提供するファクシミリ装置１と同一の符号化（圧縮）手段によって符号化され、それぞれのデータサイズが低減される。こうして符号化された共通原稿の画像データと、１番目の送付状の画像データと、２番目〜Ｎ番目の送付状の差分画像データが、２番目〜Ｎ番目の送付状の異なる行アドレスと、１番目〜Ｎ番目の送信制御コマンドとともにファクシミリ装置１に伝送される。
【００３０】
図６は、共通原稿の画像データ、１番目の送付状の画像データ、２番目〜Ｎ番目の送付状の差分画像データ、２番目〜Ｎ番目の送付状の異なる行アドレス、１番目〜Ｎ番目の送信制御コマンドを受けたファクシミリ装置１が行う処理を模式的に示した図である。まず、ファクシミリ装置１に、符号化されて入力された共通原稿の画像データと１番目の送付状の画像データは、既に符号化されているのでそのまま画像メモリ２５（図３）に蓄積される。１番目の送付状の画像データは同時に、ＣＯＤＥＣ部２６で復号化（伸張）されて、メモリ機能を有する送付状作成部２９に一時保存される。次に、図示しないバッファメモリを介して、或いはそのまま順次入力される２番目〜Ｎ番目の送付状の差分画像データは、符号化されているので、ＣＯＤＥＣ部２６で一旦復号化されて送付状作成部２９に入力される。更に２番目〜Ｎ番目の送付状の異なる行アドレスも、対応する送付状の差分画像データに同期して順次送付状作成部２９に入力される。
【００３１】
１番目の送信先へ、共通原稿の画像データと１番目の送付状の画像データが画像メモリ２５から送信されると、次に、送付状作成部２９は、復号化され入力された１番目の送付状の画像データ内で、２番目の送付状の異なる行アドレスに対応する部分を、復号化され入力された２番目の送付状の差分画像データと置き換え、合成された２番目の送付状の画像データをＣＯＤＥＣ部２６に送出する。ＣＯＤＥＣ部２６により符号化された２番目の送付状の画像データは、制御部６によって画像メモリ２５に送られ、送信が終了した１番目の送付状の画像データと置き換えられ、２番目の送信先への送信が開始する。このようにして、２番目の送信と同じ手順でＮ番目までの送信が行われる。
【００３２】
以上説明したように、第１の実施形態では、情報処理装置１６から共通原稿の画像データと、１番目の送付状の画像データと、２番目〜Ｎ番目の送付状の差分画像データをファクシミリ装置１に伝送するため、従来の技術に比べて、ネットワーク上の通信量が大幅に削減できるとともに、ファクシミリ装置１でそれらのデータを蓄積する画像メモリ２５の容量を節約することが可能になる。また、前記の画像データは情報処理装置１６から符号化されて伝送されるため、ネットワーク上の通信量を更に低減させることが可能になる。
【００３３】
次に、第２の実施形態について図１〜図３と図７〜９を参照して説明する。図７は、本発明の第２の実施形態を説明するための送付状の例である。図２の情報処理装置１６から複数の送信先に、共通の原稿をそれぞれ異なる送付状を付加してファクシミリ送信する場合、情報処理装置１６の図示しないアプリケーションプログラムによって共通原稿と送付状が作成される。この場合、通常であれば、送付状はそれぞれの送信先ごとに、例えば、送信先名称、送信先番号、担当者など一部が異なるものになり、他の部分は共通の場合が多い。この送付状５０は、最初の送信先の原稿に付加されるものである。同じ原稿を送信する２番目以降の送信先には、この送付状５０の一部が書き換えられたものものが付加される。この例では「送信先」の名称と、「送信番号」の番号と、「ご担当者」の名前と、「送信日」の日付が送信先ごとに書き換えられるとする。
【００３４】
この送付状５０が第１の実施形態の送付状４０（図４）と異なる部分は、送付状５０は変動データ部５１と、その他の部分の固定データ部とが明確に区分けされている点である。つまり、送付状５０の固定データ部は全ての送付状に共通する部分であり、所謂、フォーム或いはテンプレートの形態をなしている。図７で、実際のフォーム部分は、変動データ部５１に文字データが入力されていない状態である。そのため、第２の実施形態では、共通の送付状にフォーム形式の画像データを使用し、送信先ごとに異なる変動データは文字データとして扱うものとする。
【００３５】
複数の送信先へのファクシミリ送信操作は、情報処理装置１６にインストールされている図示しないファクシミリ装置１用のファックスドライバソフトを介して行われる。そのファックスドライバソフトで送信する共通原稿を選択し、１〜Ｎ番目の送信に付加する送付状の共通フォームを選択する。ここまでが１〜Ｎ番目の送信にかかわる共通の手順である。次に、送付状のフォームに対して１番目の送信に必要な事項を文字で入力すると同時に、送信先電話番号、送信画質モード、タイマ予約送信の可否などの送信制御コマンドを、ファックスドライバソフトを介して入力する。２番目〜Ｎ番目の送信先も同様な操作を行う。
【００３６】
図８は、このようにして入力・設定された共通原稿、送付状フォーム、文字データ、送信制御コマンドを模式的に示した図である。情報処理装置１６で図示しない送信ボタンが押されると、ファックスドライバソフトは、共通原稿と送付状フォームのそれぞれの画像データを符号化してファクシミリ装置１に伝送する。同時に、送付状フォームの画像データ上における変動データ部５１の開始アドレス（開始ビットマップアドレス）と、１〜Ｎ番目の送付状の変動データ部５１に入力されたそれぞれの文字データと、１〜Ｎ番目の送信先の送信制御コマンドがファクシミリ装置１に伝送される。
【００３７】
図９は、共通原稿の画像データ、送付状フォームの画像データ、変動データ部５１の開始アドレス、１番目〜Ｎ番目の文字データを受けたファクシミリ装置１が行う処理を模式的に示した図である。まず、ファクシミリ装置１に、符号化されて入力された共通原稿の画像データと送付状フォームの画像データは、既に符号化されているのでそのまま画像メモリ２５（図３）に蓄積される。同時に、送付状フォームの画像データはＣＯＤＥＣ部２６で復号化（伸張）されて、メモリ機能を有する送付状作成部２９に一時保存される。制御部６を介して順次入力される１番目〜Ｎ番目の送付状の文字データは、順次フォントＲＯＭ２２ｂによってビットマップ化されて、変動データ５１の開始アドレスと共に送付状作成部２９に入力される。
【００３８】
送付状作成部２９は、入力されている送付状フォームの画像データ上で変動データ部５１を示す開始アドレスから、ビットマップ化された文字データを書き込んでいく。その後、合成された送付状の画像データはＣＯＤＥＣ部２６によって符号化され、画像メモリ２５に蓄積されている送付状の画像データを置き換える。この手順が、１番目の送信の前に行われる。１番目の送信終了後、２番目の送付状に対して同様の処理が行われ、２番目の送信終了後、順次Ｎ番目の送信終了まで同様の処理が行われる。
【００３９】
以上説明したように、第２の実施形態では、情報処理装置１６から大量のデータとして共通原稿の画像データと送付状フォームの画像データのみをファクシミリ装置１に伝送し、あとはデータ容量の小さい文字データを伝送すればよい。そのため、従来の技術に比べて、ネットワーク上の通信量が大幅に削減できるとともに、ファクシミリ装置１で画像データを蓄積する画像メモリの容量を節約することが可能になる。更に、前記の画像データは情報処理装置１６から符号化されて伝送されるため、ネットワーク上の通信量をより一層低減させることが可能になる。
【００４０】
【発明の効果】
本発明によると、情報処理装置から共通原稿の画像データと１つの送付状の画像データをファクシミリ装置に伝送し、送信先ごとの送付状に関しては、データ容量の小さい差分画像データ或いは文字データを伝送すればよい。そのため、従来の技術に比べて、ネットワーク上の通信量が大幅に削減できるとともに、ファクシミリ装置１で画像データを蓄積する画像メモリの容量を節約することが可能になる。
【００４１】
更に、共通原稿の画像データと１つの送付状の画像データは情報処理装置によって、ファクシミリ装置が行う符号化と同一の符号化処理が行われてファクシミリ装置に伝送されるため、ネットワーク上の通信量をより一層低減させることが可能になる。
【図面の簡単な説明】
【図１】本発明を説明するためのファクシミリ装置の例を示す概略正面図である。
【図２】本発明のファクシミリ通信システムの例を示す模式図である。
【図３】ファクシミリ装置１の主要回路のブロック図である。
【図４】本発明の第１の実施形態を説明するための送付状の例である。
【図５】ファックスドライバソフトを介して入力・設定された共通原稿、送付状、送信制御コマンドを模式的に示した図である。
【図６】共通原稿の画像データ、１番目の送付状の画像データ、２番目〜Ｎ番目の送付状の差分画像データ、２番目〜Ｎ番目の送付状の異なる行アドレス、１番目〜Ｎ番目の送信制御コマンドを受けたファクシミリ装置１が行う処理を模式的に示した図である。
【図７】本発明の第２の実施形態を説明するための送付状の例である。
【図８】入力・設定された共通原稿、送付状フォーム、文字データ、送信制御コマンドを模式的に示した図である。
【図９】共通原稿の画像データ、送付状フォームの画像データ、変動データ部５１の開始アドレス、１番目〜Ｎ番目の文字データを受けたファクシミリ装置１が行う処理を模式的に示した図である。
【図１０】複数の送信先にファクシミリ送信する場合、情報処理装置からファクシミリ装置に伝送される原稿データと送付状データの伝送形態を示した模式図で、（ａ）は送信先ごとに共通の共通原稿データと送信先ごとに異なる送付状データとがそれぞれ伝送される場合を、（ｂ）は共通原稿データを１度伝送して、その後送信先ごとに異なる送付状データを逐次伝送する場合で示す。
【符号の説明】
１    ファクシミリ装置
２    原稿自動送り装置
３    スキャナ
４    操作部
５    印字部
６    制御部
７    原稿送り台
８    原稿排出部
９    表示部
１０  操作入力部
１１  給紙部
１５  ネットワーク
１６  情報処理装置
１７  通信回線
２１  ＣＰＵ
２２ａ  ＲＯＭ
２２ｂ  フォントＲＯＭ
２３  ＲＡＭ
２４  フレームメモリ
２５  画像メモリ
２６  ＣＯＤＥＣ部
２７  モデム
２８  ＮＣＵ
２９  送付状作成部
４０、５０  送付状
５１  変動データ部
【図１】
2005026778.tif 000003
【図２】
2005026778.tif 000004
【図３】
2005026778.tif 000005
【図４】
2005026778.tif 000006
【図５】
2005026778.tif 000007
【図６】
2005026778.tif 000008
【図７】
2005026778.tif 000009
【図８】
2005026778.tif 000010
【図９】
2005026778.tif 000011
【図１０】
2005026778.tif 000012